(57)【要約】      （修正有）【課題】缶リブの径が若干異なる飲料用缶でも対応することが可能な飲料用缶の景品収納用ケースを提供する。【解決手段】ケース１は、その下端縁内径が飲料用缶の缶リブの外径より若干大径の筒状側部５と天部６とを有するキャップ状の弾性を有する樹脂製ケース本体７と、前記筒状側部５下端近傍の内面に、前記飲料用缶の窪み部に嵌合するように突設する複数の嵌合リブ８と、天部６から垂下した複数の縦リブ９とを一体形成してなり、前記嵌合リブ８それぞれは、その縦断面形状が前記窪みの部の内形にほぼ対応して上下に湾曲面を有するとともに先端に向って徐々に厚みが薄くなるように形成してなる。【選択図】図１
0003153598.tif 000002
【実用新案登録請求の範囲】
【請求項１】
上縁に缶リブを有するとともに、この缶リブの下側に窪み部が形成された飲料用缶に着脱可能に取り付けるようになした景品収納用ケースであって、その下端縁内径が前記缶リブの外径より若干大径の筒状側部と天部とを有するキャップ状で弾性を有する樹脂製ケース本体の内面には、前記筒状側部下端近傍に、前記飲料用缶の前記窪み部に嵌合するように周方向に等間隔をおいて突設した複数の嵌合リブと、前記天部から垂下して前記嵌合リブとは所定の間隔をおいた位置まで伸びる縦リブとを、一体形成してなることを特徴とする飲料用缶の景品収納用ケース。
【請求項２】
上縁に缶リブを有するとともに、この缶リブの下側に窪み部が形成された前記飲料用缶に着脱可能に取り付けるようになした景品収納用ケースであって、下端縁内径が前記缶リブの外径より若干大径の筒状側部と天部とを有するキャップ状で弾性を有する樹脂製ケース本体と、このケース本体の下端近傍の内面に、前記飲料用缶の前記窪み部に嵌合する周方向に等間隔に突設した５個の嵌合リブと、前記ケース本体の筒状側部の内面に前記各嵌合リブに対応位置するよう天部から垂下して、その下端が前記嵌合リブと所定間隔をおいた位置まで伸びる縦リブとを、一体形成してなり、前記嵌合リブそれぞれは、その縦断面形状が前記窪み部の内形に対応して上下に湾曲面を有するとともに先端に向って徐々に厚みが薄くなるように形成されていることを特徴とする飲料用缶の景品収納用ケース。
【考案の詳細な説明】
【技術分野】
【０００１】
本考案は、その内部に景品を収納して飲料用缶の上端に着脱可能に被せるキャップ状の景品収納用ケースに係り、例えば、店頭に陳列した時や、自動販売機に配置した時に、景品付きであることにより消費者の購買意欲を高めるようにした飲料用缶の景品収納用ケースに関するものである。
【背景技術】
【０００２】
現在の飲料用缶は、上縁に缶リブを有するとともに、この缶リブの下側に窪み部が形成されているものが一般的である。従来の景品収納用ケースには、その内部に景品を収納するようになしたキャップ状のケース本体縁部の端面に、前記缶リブに係合する係合溝を設けたものが提案されている。前記係合溝は、その溝幅が前記缶リブの厚みより若干狭くなっており、該缶リブに押し込みこれを挟むことによって、容易には離脱しないように構成されている（特許文献１参照）。
【先行技術文献】
【特許文献】
【０００３】
【特許文献１】実用新案登録第３０９７４８９号公報
【考案の概要】
【考案が解決しようとする課題】
【０００４】
前記従来の特許文献１に記載された景品収納用ケースは、飲料用缶の缶リブの径とケース本体の係合溝の径とが完全に一致しないと嵌合できない。一方、異なる缶メーカーの飲料用缶には同一規格のものでも缶リブの径に若干の差異が存在する。そのため、径の異なる飲料用缶にそれぞれ対応する複数の大きさの景品収納用ケースを製造しなければならないという問題がある。
【０００５】
本考案は、上記問題を解消することを課題とし、該課題を解決した飲料用缶の景品収納用ケースを提供することを目的とする。
【課題を解決するための手段】
【０００６】
前記目的を達成するために、請求項１に係る本考案は、上縁に缶リブを有するとともに、この缶リブの下側に窪み部が形成された飲料用缶に着脱可能に取り付けるようになした景品収納用ケースであって、その下端縁内径が前記缶リブの外径より若干大径の筒状側部と天部とを有するキャップ状で弾性を有する樹脂製ケース本体の内面には、前記筒状側部下端近傍に、前記飲料用缶の前記窪み部に嵌合するように周方向に等間隔をおいて突設した複数の嵌合リブと、前記天部から垂下して前記嵌合リブとは所定の間隔をおいた位置まで伸びる縦リブとを、一体形成してなることを特徴とするものである。
【０００７】
また、請求項２に係る本考案は、上縁に缶リブを有するとともに、この缶リブの下側に窪み部が形成された前記飲料用缶に着脱可能に取り付けるようになした景品収納用ケースであって、下端縁内径が前記缶リブの外径より若干大径の筒状側部と天部とを有するキャップ状で弾性を有する樹脂製ケース本体と、このケース本体の下端近傍の内面に、前記飲料用缶の前記窪み部に嵌合する周方向に等間隔に突設した５個の嵌合リブと、前記ケース本体の筒状側部の内面に前記各嵌合リブに対応位置するよう天部から垂下して、その下端が前記嵌合リブと所定間隔をおいた位置まで伸びる縦リブとを、一体形成してなり、前記嵌合リブそれぞれは、その縦断面形状が前記窪み部の内形に対応して上下に湾曲面を有するとともに先端に向って徐々に厚みが薄くなるように形成されていることを特徴とするものである。
【考案の効果】
【０００８】
請求項１に係る本考案の景品収納用ケースによれば、飲料用缶に装着する際には、複数の嵌合リブの下面が飲料用缶の缶リブに押し付けられて、スリップしながら進み、嵌合リブ先端側が該缶リブを乗り越え、窪み部に嵌合する一方、ケースを飲料用缶から引き離すようにして外す際にも、同様にして前記嵌合リブが缶リブを乗り越えるので、たとえ前記缶リブの外径が若干異なっている飲料用缶にも前記装着が可能であり、異なる缶メーカーの飲料用缶に対応できるうえ、前記嵌合リブが前記窪み部に確実に嵌合するので、装着状態においてぐらつきがなく、また縦リブによってケース本体が必要以上に変形することがないので、着脱動作が容易であるという効果を奏する。
【０００９】
また、請求項２に係るは本考案の景品収納用ケースによれば、飲料用缶に装着する際には、５個の嵌合リブの湾曲下面が飲料用缶の缶リブに押し付けられて、スリップしながら進み、嵌合リブ先端側の厚みが薄い部分が該缶リブを乗り越え、窪み部に嵌合し、また、ケースを飲料用缶から引き離すようにして外す際にも、同様にして前記嵌合リブが缶リブを乗り越えるので、たとえ前記缶リブの外径が若干異なっている飲料用缶にも前記装着が可能であり、異なる缶メーカーの飲料用缶に対応できるうえ、前記嵌合リブそれぞれの縦断面形状が前記窪み部の内形にほぼ対応しているので、各嵌合リブは窪み部に確実に嵌合し、装着状態においてぐらつきがなく、また、５個の縦リブによってケース本体が必要以上に変形することがないので、着脱動作が容易であるという効果を奏する。
【図面の簡単な説明】
【００１０】
【図１】図１は景品載置板を装着した状態におけるケースの縦断面図である。
【図２】図２は景品載置板を取り除いた状態における図１のＡ−Ａ線断面図である。
【図３】図３は景品載置板を取り除いた状態におけるケースの底面図である。
【図４】図４は飲料用缶に装着した状態における嵌合リブ部分の部分拡大縦断面図である。
【考案を実施するための形態】
【００１１】
以下に、本考案の好適な実施形態を添付図面の図１〜図４に基づいて詳細に説明する。
【００１２】
図１及び図４に示すように、飲料用缶の景品収納用のケース１は、上縁に缶リブ２を有するとともに、この缶リブ２の下側に窪み部３が形成されてなる飲料用缶４に着脱可能に取り付けるように構成する。前記ケース１は、その下端縁内径が前記缶リブ２の外径より若干大径の筒状側部５と天部６とを有するキャップ状のケース本体７と、嵌合リブ８と、縦リブ９とを、弾性を有する樹脂により一体形成してなる。そして、前記ケース本体７内には、景品（図示せず）を収納する際に、景品載置板１０を取り出し可能に配置する。
【００１３】
図１〜図３に示すように、前記ケース本体７には、その下端近傍の内面に、前記飲料用缶４の前記窪み部３に嵌合する、互いに等間隔に配置した５個の嵌合リブ８を備え（図４参照）、前記嵌合リブ８それぞれは、筒状側部５の内側に向けて突設され、その縦断面形状が前記窪み部３の形状にほぼ対応して上下に湾曲面１１ａ，１１ｂを有するとともに先端に向って徐々に厚みが薄くなるように形成されている。これらの嵌合リブ８は、ケース１を飲料用缶４に装着する際に、それらの下湾曲面１１ｂが飲料用缶４の缶リブ２の上面側に押し付けられて、スリップしながら進み、先端側の厚みが薄い部分において該缶リブ２を乗り越えて、窪み部３に嵌合する。また、ケース１を飲料用缶４から外す際にも、引く力によってそれらの上湾曲面１１ａが飲料用缶４の缶リブ２の下面側に押し付けられて、スリップしながら外部側に進み、先端側の厚みが薄い部分において該缶リブ２を乗り越えるのである。なお、前記嵌合リブ８は、上下の湾曲面１１ａ，１１ｂにより前記スリップ動作がスムーズになる。
【００１４】
図１〜図３に示すように、ケース本体７の筒状側部５内面には、天部６から下端に向けて垂直に伸びる５本の縦リブ９を前記各嵌合リブ８に対応位置して突設してある。前記縦リブ９の下端と嵌合リブ８の上湾曲面１１ａは、図４に示すように、缶リブ２と景品載置板１０とを重ね合わせた厚み分より若干広い所定の間隔をもたしてある。
【００１５】
前記景品載置板１０は、可撓性を有する紙製シート材により、前記筒状側部５の内径に対応する外径をもつ円形に形成し、その中央に指を入れて外側に引き出し得るような透孔１２を設けてある。この景品載置板１０は、可撓性を有するので、ケース１の筒状側部５の下端から押し込むと、前記各嵌合リブ８に当接して変形しながらこの嵌合リブ８を乗り越え、各嵌合リブ８と各縦リブ９間に入り、入ると前記変形形状から復元して前記各嵌合リブ８にその周縁部で支持されるとともに、各縦リブ９によってその上面側への移動を規制され、位置決定される。また、この景品載置板１０をケース１から外すには、前記透孔１２に指を入れ外側に引けば、前述と同様に嵌合リブ８に当接して変形し、各嵌合リブ８を乗り越え外部に取り出すことができる。
【００１６】
図１〜図３に示すように、ケース１の天部６には、表示板（図示せず）を取り付けるための、内面側に突設した表示板支持部１３を設けてある。この表示板支持部１３には、表示板を挿し込むための挿し込み溝１３ａが形成されている。前記表示板には、消費者の購買欲を高めるために、商品の特徴を記した説明文や印象的なデザインなどが表示される。
【００１７】
次に、以上のように構成したケース１を飲料用缶４に取り付けて商品とする手順を述べると、先ず、ケース本体７内に消費者の興味を引く景品を入れた後に、景品載置板１０を各嵌合リブ８と各縦リブ９間に配置する。次に、この景品を収納した状態でケース１を飲料用缶４に装着するには、缶リブ２にケース１の筒状側部５の下端を被せるようにして該缶リブ２に押し付けると、各嵌合リブ８の下湾曲面１１ｂが飲料用缶の缶リブ２の上面側に押し付けられて、スリップしながら進み、先端側の厚みが薄い部分において変形し該缶リブ２を乗り越えて、窪み部３に嵌合する。このようにして取り付けられたケース１は、例えば自動販売機にて販売される商品となり、購入時に前記商品が取り出し口に落下しても、その衝撃程度では飲料用缶４の缶リブ２下側の窪み部３に各嵌合リブ８が確実に嵌合しているので、飲料用缶４から離脱しない。
【００１８】
一方、この商品を購入した消費者は、飲料用缶４に保持されているケース１を所定以上の力で引くと、各嵌合リブ８の上湾曲面１１ａが飲料用缶４の缶リブ２の下面側に押し付けられて、スリップしながら外部側に進み、先端側の厚みが薄い部分において該缶リブ２を乗り越え、ケース１を飲料用缶４から離脱した後に、離脱した該ケース１から、景品載置板１０を外して内部の景品を手にすることができる。
【００１９】
なお、本考案は前記実施形態に何ら限定されるものではなく、例えば、嵌合リブ８は、前述の実施形態のように５個が最適であるが、３個、４個あるいは６個以上であってもよい。また、縦リブ９の本数は、３本、４本あるいは６本以上であってもよい。さらに、表示板支持部１３は敢えて設けなくてもよい。
【符号の説明】
【００２０】
１    ケース
２    缶リブ
３    窪み部
４    飲料用缶
５    筒状側部
６    天部
７    ケース本体
８    嵌合リブ
９    縦リブ
１０    景品載置板
１１ａ    上湾曲面
１１ｂ    下湾曲面
１２    透孔
１３    表示板支持部
１３ａ    挿し込み溝
【図１】
0003153598.tif 000003
【図２】
0003153598.tif 000004
【図３】
0003153598.tif 000005
【図４】
0003153598.tif 000006